(57)【要約】【課題】２波長以上で利用可能であり、光利用効率が高い色収差補正用カップリングレンズ。【解決手段】本発明に係るカップリングレンズは、複数の波長を有する光束を光記録媒体の情報記録面上に集光させる対物レンズの光源側に配置され、前記対物レンズ側の面に光軸を中心とした同心円状の段差からなる複数の輪帯を備えた色収差補正用のカップリングレンズであって、波長λ１＝３８０〜４３０ｎｍとし、λ１を用いて前記段差の大きさをｄ＝ｍ１λ１／（ｎ１−１）（ただし、ｍ１は実数、ｎ１は波長λ１におけるカップリングレンズの屈折率）とすると、９．９≦ｍ１≦１０．１であるものである。【選択図】図１
2008130190.tif 000002
【特許請求の範囲】
【請求項１】
複数の波長を有する光束を光記録媒体の情報記録面上に集光させる対物レンズの光源側に配置され、少なくとも一方の面に光軸を中心とした同心円状の段差からなる複数の輪帯を備えた色収差補正用のカップリングレンズであって、
波長λ１＝３８０〜４３０ｎｍとし、λ１を用いて前記段差の大きさをｄ＝ｍ１λ１／（ｎ１−１）（ただし、ｍ１は実数、ｎ１は波長λ１におけるカップリングレンズの屈折率）とすると、
９．９≦ｍ１≦１０．１であるカップリングレンズ。
【請求項２】
前記複数の波長は、前記波長λ１、波長λ２＝６３０〜６９０ｎｍ及び波長λ３＝７６０〜８１０ｎｍの３波長を含むことを特徴とする請求項１に記載のカップリングレンズ。
【請求項３】
前記段差の大きさｄ＝ｍ２λ２／（ｎ２−１）＝ｍ３λ３／（ｎ３−１）（ただし、ｍ２、ｍ３は実数、ｎ２、ｎ３は各々波長λ２、λ３におけるカップリングレンズの屈折率）とすると、
５．９≦ｍ２≦６．１かつ４．９≦ｍ３≦５．１であることを特徴とする請求項２に記載のカップリングレンズ。
【請求項４】
前記輪帯は各々異なる非球面形状を有することを特徴とする請求項１〜３のいずれか一項に記載のカップリングレンズ。
【請求項５】
前記波長λ１、λ２及びλ３において、各前記輪帯における波面収差の大きさが０．０３５λ以下となるような幅で前記輪帯が形成されていることを特徴とする請求項１〜４のいずれか一項に記載のカップリングレンズ。
【請求項６】
請求項１〜５のいずれか一項に記載のカップリングレンズを備えた光ピックアップ装置。
【発明の詳細な説明】
【技術分野】
【０００１】
本発明は、複数種類の単色光を用いる多波長用光学系であって、例えばＣＤ（Compact Disc）やＤＶＤ（Digital Versatile Disc）やＨＤ−ＤＶＤ（High Density Digital Versatile Disc）やＢｌｕ−ｒａｙなど種類が異なる光記録媒体に対応できる互換型光ディスク装置に用いられうるカップリングレンズ及びそれを用いた光ピックアップ装置に関する。
【背景技術】
【０００２】
近年の光ディスクの大容量化、高密度化の進展により、ＨＤ−ＤＶＤやブルーレイディスクなどの新規格の高密度光ディスクが提案され、実用化されている。これに伴い、上記新規格の高密度光ディスクと従来のＣＤやＤＶＤなどの種類が異なる光ディスクとを共に記録・再生することができる互換型光ディスク装置が望まれている。
【０００３】
記録容量が向上した高密度光ディスクに対する記録・再生を可能とするためには、光ディスク装置に用いる光ピックアップ装置の光学系から得られる光スポットの径を小さくする必要がある。スポット径はλ／ＮＡ（ここで、λは光源の波長、ＮＡは対物レンズの開口数）に比例するため、短波長化及び高開口数化によりスポット径を小さくすることができる。短波長化については、上述の通り、波長約４００ｎｍの青紫色半導体レーザの研究が進んでおり、実用化されている。
【０００４】
ところで、一般的に、光ピックアップ装置では、光ディスクの再生時に係るレーザーパワーより、記録時に係るレーザーパワーの方が大きくなる。そのため、再生から記録の切り替え時に、光の波長が数ｎｍ大きくなる現象いわゆるモードホッピング現象が生じる。このモードホッピング現象に伴い、フォーカス位置がずれる。このフォーカスずれは、対物レンズをオートフォーカスさせることにより解消できるが、光の波長が約４００ｎｍと短い場合、従来よりもフォーカスずれは大きくなる。そのため、オートフォーカスするまでの数ｎｓｅｃの間は、フォーカスずれによる記録不良が生じる。従って、モードホッピング現象によるフォーカスずれ量すなわち色収差を小さくするための補正が必要となる。
【０００５】
この課題に対し、特許文献１には、回折パターンの回折作用により、色収差を補正するレンズが開示されている。また、特許文献２には、回折作用を用いない方法で、光利用効率を下げずに、色収差を補正するカップリングレンズが開示されている。
【特許文献１】特開２００２−３０３７８８公報
【特許文献１】特開２００４−１８５７４６公報
【発明の開示】
【発明が解決しようとする課題】
【０００６】
しかしながら、特許文献１に記載の回折作用を利用する方法は、輪帯の総数を増やすことになり、回折効率すなわち光利用効率の低下につながる。また、特許文献２に記載の色収差補正用カップリングレンズは、波長約４００ｎｍの青紫色半導体レーザの単波長専用となっており、ＣＤ（波長約７８０ｎｍ）やＤＶＤ（波長約６５０ｎｍ）などと共に２波長以上で利用可能な互換対物レンズとして使用することができなかった。そのため、ＣＤ、ＤＶＤ及び上記新規格の高密度光ディスクの全てに対応する３波長互換対物レンズを利用し、３波長の光学系を共通にすることにより、光ピックアップ装置の小型化を図ることができなかった。
【０００７】
本発明は、このような問題点を解決するためになされたものであり、２波長以上で利用可能であり、光利用効率が高い色収差補正用カップリングレンズを提供することを目的とする。
【課題を解決するための手段】
【０００８】
本発明の第１の態様に係るカップリングレンズは、複数の波長を有する光束を光記録媒体の情報記録面上に集光させる対物レンズの光源側に配置され、前記対物レンズ側の面に光軸を中心とした同心円状の段差からなる複数の輪帯を備えた色収差補正用のカップリングレンズであって、波長λ１＝３８０〜４３０ｎｍとし、λ１を用いて前記段差の大きさをｄ＝ｍ１λ１／（ｎ１−１）（ただし、ｍ１は実数、ｎ１は波長λ１におけるカップリングレンズの屈折率）とすると、９．９≦ｍ１≦１０．１であるものである。これにより、２波長以上で利用可能であり、光利用効率が高い色収差補正用カップリングレンズを提供することができる。
【０００９】
本発明の態様２に係るカップリングレンズは、上記発明の態様において、前記波長λ１、波長λ２＝６３０〜６９０ｎｍ及び波長λ３＝７６０〜８１０ｎｍの３波長を含むことを特徴とするものである。本発明は上記３波長を用いる場合に特に適している。
【００１０】
本発明の態様３に係るカップリングレンズは、上記発明の態様において、前記段差の大きさｄ＝ｍ２λ２／（ｎ２−１）＝ｍ３λ３／（ｎ３−１）（ただし、ｍ２、ｍ３は実数、ｎ２、ｎ３は各々波長λ２、λ３におけるカップリングレンズの屈折率）とすると、５．９≦ｍ２≦６．１かつ４．９≦ｍ３≦５．１であることを特徴とするものである。これにより、上記３波長において、効果的に色収差を補正することができる。
【００１１】
本発明の態様４に係るカップリングレンズは、上記発明の態様において、前記輪帯は各々異なる非球面形状を有することを特徴とするものである。
【００１２】
本発明の態様５に係るカップリングレンズは、上記発明の態様において、前記波長λ１、λ２及びλ３において、各前記輪帯における波面収差の大きさが０．０３５λ以下となるような幅で前記輪帯が形成されていることを特徴とするものである。
【００１３】
本発明の態様６に係る光ピックアップ装置は、上記発明の態様カップリングレンズを備えたものである。
【発明の効果】
【００１４】
本発明によれば、２波長以上で利用可能であり、光利用効率が高い色収差補正用カップリングレンズを提供することができる。
【発明を実施するための最良の形態】
【００１５】
以下に、本発明の実施の形態について説明する。ただし、本発明が以下の実施の形態に限定される訳ではない。また、説明を明確にするため、以下の記載及び図面は、適宜、省略及び簡略化されている。
【００１６】
本実施の形態は、本発明に係るカップリングレンズを光ディスク装置に適用したものである。本実施の形態では、ＣＤ用の光源とＤＶＤ用の光源とＨＤ−ＤＶＤ用の光源との３つの光源を搭載したモジュールを用いた場合を例示するが、光源の数は３つに限定されることはなく、２つ以上であればよい。
【００１７】
本発明に係るカップリングレンズは、対物レンズと組み合わせることにより、異なる種類の光ディスクに対し、それぞれ任意の光線高さを通る光線の光路を色収差が出ない、又は少ない状態とするように非球面形状となっている。これにより、それぞれの光ディスクに対して十分に色収差の補正された状態としている。しかも回折作用を用いずに、屈折光線のみで実現するものであるため、回折効率の光量ロスが生じない。
【００１８】
図１は本発明に係るカップリングレンズ３０の構成を示した図であり、（ａ）は正面図、（ｂ）は断面図である。図１に示すように、出射側のレンズ面は光軸（図１（ｂ）におけるｚ軸）を中心としてレンズ半径方向に同心円状に予め定められた隣接段差量ｄで、固有の非球面形状を有する少なくとも２つ以上の輪帯が形成されている。ここで本発明における非球面形状は、光軸からの高さがｈとなる非球面上の座標点における非球面の光軸上での入射面の接平面からの距離をＺ（ｈ）、非球面の光軸上での曲率（１／曲率半径）をＣ、コーニック係数をＫ、４次から１６次までの非球面係数をそれぞれＡ４、Ａ６、Ａ８、Ａ１０、Ａ１２、Ａ１４、Ａ１６、定数Ｂとして、以下の数１で表される。
【数１】
2008130190.tif 000003
【００１９】
また、本発明に係るカップリングレンズでは、ＨＤ−ＤＶＤ用レーザ（波長λ１＝３８０〜４３０ｎｍ）、ＤＶＤ用レーザ（波長λ２＝６３０〜６９０ｎｍ）、ＣＤ用レーザ（波長λ３＝７６０〜８１０ｎｍ）の３波長を使用するピックアップ装置用の光学系において、上記３波長における対物レンズの色収差を補正できるように、隣接段差量が調整されたている。隣接段差量ｄは、ｄ＝ｍ１λ１／（ｎ１−１）＝ｍ２λ２／（ｎ２−１）＝ｍ３λ３／（ｎ３−１）（ただし、ｍ１、ｍ２、ｍ３は実数、ｎ１、ｎ２、ｎ３は各々波長λ１、λ２、λ３におけるカップリングレンズの屈折率）と表記でき、上記３波長において色収差を完全に無くすには、ｍ１、ｍ２、ｍ３すべてを自然数とする必要がある。しかし、これは現実不可能である。本発明に係るカップリングレンズでは、ｍ１≒１０、ｍ２≒６、ｍ３≒５を実現できた。より詳細には、９．９≦ｍ１≦１０．１かつ５．９≦ｍ２≦６．１かつ４．９≦ｍ３≦５．１である。これにより、上記３波長すべてにおいて効果的に色収差を補正できる。
【００２０】
図２は、本実施の形態に係る光ピックアップ装置の概略構成図である。光ピックアップ装置は、図２に示すように、光源１０、ハーフミラー２０、色収差補正用カップリングレンズ３０、絞り４０、対物レンズ５０を備えている。
【００２１】
図２に示すように、光源１０から出射された発散光は、ハーフミラー２０を通り、色収差補正用カップリングレンズ３０で略平行光束となり、無限系となる。この平行光束は、絞り４０を通り対物レンズ５０に入射される。対物レンズ５０を透過した光束は、対物レンズ５０により光ディスク６０上に集光される。
【００２２】
光ディスク６０から反射した光は、対物レンズ５０、色収差補正用カップリングレンズ４０を通過し、ハーフミラー２０によって反射される。ハーフミラー２０を反射した光は、検出レンズを通り光検出器に入射され（不図示）、光電変換されることによりフォーカスサーボ信号、トラックサーボ信号、及び再生信号などを生成する。
【００２３】
（実施例）
以下に本発明の具体的な実施例について説明する。本実施例に係る光ピックアップ装置では、ＨＤ−ＤＶＤ用レーザ（波長λ１＝４０７ｎｍ）、ＤＶＤ用レーザ（波長λ２＝６５８ｎｍ）、ＣＤ用レーザ（波長λ３＝７８５ｎｍ）の３波長を使用する。
【００２４】
本実施例に係る色収差補正用カップリングレンズ３０については、図１に示した光出射面を光軸から半径方向に２０個の輪帯に区分し、各々の区間の面形状を、青紫色半導体レーザの色収差を低減するように設定した。具体的には、図１に示した出射面及び入射面について、数１における各定数Ｂ、Ｋ、Ａ４、Ａ６、Ａ８、Ａ１０、Ａ１２を表１及び表２の通りに定めた。なお、出射面のすべての輪帯及び入射面において、Ａ１４＝Ａ１６＝０である。
【表１】
2008130190.tif 000004
【表２】
2008130190.tif 000005
【００２５】
ここで、隣接段差量ｄは、特にＨＤ−ＤＶＤ用レーザにおける対物レンズの色収差を補正でき、かつ、上記３波長に互換性を有するように、隣接段差量が調整されたている。具体的には、本発明に係る色収差補正用カップリングレンズでは、ＨＤ−ＤＶＤ用レーザであるλ１＝４０７ｎｍにおける色収差補正を優先してｄ＝１０×λ１／（ｎ１−１）＝５．９８×λ２／（ｎ２−１）＝４．９８×λ３／（ｎ３−１）に調整されている（ｎ１、ｎ２、ｎ３は各々波長λ１、λ２、λ３における対物レンズの屈折率）。
【００２６】
また、色収差補正用カップリングレンズ３０の中心厚は１．５ｍｍ、対物レンズ５０の中心厚は１．２８ｍｍである。色収差補正用カップリングレンズ３０及び対物レンズ５０にはＰＭＭＡ（ポリメチルメタクリレート）、光ディスクにはＰＣ（ポリカーボネート）を使用した。表３には、使用した硝材の各波長における屈折率を示す。硝材はこれらに限定されるものではないが、各波長における屈折率は１．４５〜１．５５であることが好ましい。
【表３】
2008130190.tif 000006
【００２７】
図３〜５には、光源１０から出射し、カップリングレンズ３０により略平行光に変換された光束の波面収差図を示す。横軸は瞳半径、縦軸は波面収差である。図３は、波長λ１＝４０７ｎｍの場合、図４は、波長λ２＝６５８ｎｍの場合、図５は、波長λ３＝７８５ｎｍの場合を示す。
【００２８】
図３に示すように、波長λ１＝４０７ｎｍの青色レーザの場合、波面収差は略０λで一定である。これは、輪帯の隣接段差量ｄ×（ｎ１-１）が波長λ１の丁度１０倍だからである。
【００２９】
図４に示すように、波長λ２＝６５８ｎｍの場合、波面収差は輪帯ごとに不連続な値となる。これは、輪帯の隣接段差量ｄ×（ｎ２-１）が波長λ２の約５．９８倍であり、丁度６倍ではないからである。しかしながら、波面収差の大きさは最大で０．０２λと非常に小さい。
【００３０】
図５に示すように、波長λ３＝７８５ｎｍの場合も、波長λ２＝６５８ｎｍの場合と同様に、波面収差は輪帯ごとに不連続な値となる。これは、輪帯の隣接段差量ｄ×（ｎ３-１）が波長λ３の約４．９８倍であり、丁度５倍ではないからである。しかしながら、波面収差の大きさは最大で０．０２λと非常に小さい。
【００３１】
上述の通り、本発明に係るカップリングレンズは、上記３波長すべてにおいて良好な波面収差特性を有する。
【００３２】
対物レンズ５０の入射側の面Ｒ１及び出射側の面Ｒ２についても、光軸からの高さがｈとなる非球面上の座標点における非球面の光軸上での入射面及び出射面各々の接平面からの距離Ｚ（ｈ）（ただし、単位はｍｍ）を数１で表すことができる（従って、面Ｒ１及び面Ｒ２いずれにおいても、数１における定数Ｂ＝０）。数１における各定数Ｋ、Ａ４、Ａ６、Ａ８、Ａ１０、Ａ１２、Ａ１４、Ａ１６を表４の通りに定めた。
【表４】
2008130190.tif 000007
【００３３】
図６〜８には、光源１０から出射し、カップリングレンズ３０及び対物レンズ５０を通過した光束の波面収差図を示す。横軸は瞳半径、縦軸は波面収差である。図６は、波長λ１＝４０７ｎｍの場合、図７は、波長λ２＝６５８ｎｍの場合、図８は、波長λ３＝７８５ｎｍの場合を示す。
【００３４】
図６に示すように、波長λ１＝４０７ｎｍの青色レーザの場合、波面収差は略０λで一定である。これは、輪帯の隣接段差量ｄ×（ｎ１-１）が波長λ１の丁度１０倍だからである。
【００３５】
図７に示すように、波長λ２＝６５８ｎｍの場合、波面収差は輪帯ごとに不連続な値となる。これは、輪帯の隣接段差量ｄ×（ｎ２-１）が波長λ２の約５．９８倍であり、丁度６倍ではないからである。しかしながら、Ｔｏｔａｌ波面収差は０．００７０λｒｍｓと非常に小さい。ここで、有効径内では、カップリングレンズ３０の中央から１０番目の輪帯まで使用されている。
【００３６】
図８に示すように、波長λ３＝７８５ｎｍの場合も、波長λ２＝６５８ｎｍの場合と同様に、波面収差は輪帯ごとに不連続な値となる。これは、輪帯の隣接段差量ｄ×（ｎ３-１）が波長λ３の約４．９８倍であり、丁度５倍ではないからである。しかしながら、Ｔｏｔａｌ波面収差は０．００９３λｒｍｓと非常に小さい。ここで、有効径内では、カップリングレンズ３０の中央から４番目の輪帯まで使用されている。
【００３７】
（比較例）
比較例では、輪帯のないノーマルカップリングレンズを用いた。この数１における各定数を表５の通りに定めた。表５に示す通り、出射面の面形状が実施例と異なる。また、それ以外の条件は、実施例と同一条件である。
【表５】
2008130190.tif 000008
【００３８】
図９には、光源１０から出射し、比較例のカップリングレンズ３０により略平行光に変換された光束の波面収差図を示す。横軸は瞳半径、縦軸は波面収差である。代表して、波長λ２＝６５８ｎｍの場合を示す。
【００３９】
比較例のカップリングレンズには輪帯が形成されていないため、波面収差は連続した値となり、最大の波面収差の大きさは約０．４８λと実施例に比べ非常に大きい。また、実施例のカップリングレンズでは、この波長λ２＝６５８ｎｍでの比較例のカップリングレンズのデータに基づき、各輪帯での波面収差の大きさが最大０．０２３７３４となるように、輪帯の幅を決定した。具体的に、図９において、輪帯の段差形成位置を矢印で示した。この輪帯の幅は、上記３波長すべてにおいて、各輪帯における波面収差の大きさが０．０３５λ以下となるように決定するのが好ましい。
【００４０】
表６〜８には、実施例において、光源１０から出射し、カップリングレンズ３０及び対物レンズ５０を通過した光束の波面収差及び色収差を、比較例とともに示す。表６は、波長λ１＝４０７ｎｍの場合、表７は、波長λ２＝６５８ｎｍの場合、表８は、波長λ３＝７８５ｎｍの場合を示す。波面収差については、Ｔｏｔａｌ波面収差とともに、参考までに、球面収差の３次成分であるＳＡ３及び球面収差の５次成分であるＳＡ５も示す。また、色収差については、表６には、基準波長である４０７ｎｍから±１ｎｍずれた場合のフォーカスの位置ずれすなわち色収差及び両者の大きさの平均値を示めす。表７及び８には、各々の基準波長である６５８ｎｍ及び７８５ｎｍから±３ｎｍずれた場合の色収差及び両者の大きさの１ｎｍ当たりの平均値を示めす。
【表６】
2008130190.tif 000009
【表７】
2008130190.tif 000010
【表８】
2008130190.tif 000011
【００４１】
表６に示すように、波長λ１＝４０７ｎｍの場合、比較例の波面収差が０．００００λｒｍｓであるのに対し、実施例の波面収差は０．０００１λｒｍｓであるが、極めて良好な数値である。また、比較例の色収差の平均値が０．４９８μｍ／ｎｍと大きく問題があるのに対し、実施例の色収差の平均値は０．０６９μｍ／ｎｍであり、一桁小さくなり、極めて良好な数値まで向上している。
【００４２】
表７に示すように、波長λ２＝６５８ｎｍの場合、比較例の波面収差が０．００１７λｒｍｓであるのに対し、実施例の波面収差は０．００７０λｒｍｓでありやや劣るが、非常に良好な数値である。また、比較例の色収差の平均値が０．１１６μｍ／ｎｍであるのに対し、実施例の色収差の平均値は０．１２２μｍ／ｎｍと同等であり、良好な数値である。
【００４３】
表８に示すように、波長λ３＝７８５ｎｍの場合、比較例の波面収差が０．００２１λｒｍｓであるのに対し、実施例の波面収差は０．００９３λｒｍｓでありやや劣るが、非常に良好な数値である。また、比較例の色収差の平均値が０．０６８μｍ／ｎｍであるのに対し、実施例の色収差の平均値は０．０５３μｍ／ｎｍであり、若干向上し、極めて良好な数値である。
【００４４】
次に、図１０を用いて、光源１０から出射されカップリングレンズ３０で変換された後、対物レンズ５０を通過した後、光ディスク６０上において集光された光スポットのビームプロファイルについて説明する。
【００４５】
光スポットは、図１０に示すようなビームプロファイルをしている。横軸が位置を示し、縦軸が光強度である。縦軸の光強度は、ピーク強度を１にするように規格化されている。図１０に示すように、ピークからの距離が長くなるに従って光強度が弱くなり、ある位置において光強度が極小となり略０の光強度となる。この極小点からさらにピークからの距離が長くなると、サイドローブと呼ばれる高次項の光強度が存在する。このピークを含む極小点と極小点との間を０次スポットと呼ぶ。また、０次スポットの周りにできるサイドローブ領域を１次リングと呼ぶ。
【００４６】
光スポット特性は、３つのパラメータから特徴づけられる。第１のパラメータは、光スポットの広がりを示す１／ｅ２スポット径（ｅ：自然対数の底（≒２．７１８２８））である。スポットの光ピーク強度の１／ｅ２（≒１３．５％）の光強度を持つ二点ＡＢ間の距離を、この光スポットのスポット径としている。この１／ｅ２スポット径Ｄ＝０．８２×λ／ＮＡ（ＮＡは開口数、λは光の波長）と表される。従って、スポット径は波長に比例し、ＮＡに反比例する。この１／ｅ２スポット径が小さいほど、光ディスクの情報記録面において光が照射される領域が小さくなるため、良好な解像度を得ることができる。
【００４７】
第２のパラメータは、１次リング内のピークにおける光強度に対する０次スポット内のピークにおける光強度の割合であるサイドローブ特性である。サイドローブが小さい光スポットのほうが良好な光スポットであるといえる。これは、光ディスクに光を集光した場合に、光ディスクの情報記録面を反射して得られる信号内には、１次リングにおいて照射された位置の光ディスクから反射された光がノイズとして入ってしまう。そのため、サイドローブが大きい光スポットにおいては、ノイズの大きい信号を生じさせてしまうことになる。そのため、サイドローブ特性が小さい光スポットのほうが、良好な光スポットと考えられる。
【００４８】
第３のパラメータは、０次スポット内の総光量である０次光量である。この０次光量はこの光スポットの光強度に相当する。０次光量が大きい光スポットにおいては、光ディスクに照射されたときに生じる信号強度を大きくすることができるため、より０次光量の大きい光スポットを用いるほうがＳ／Ｎ比（シグナル／ノイズ比）の高い良好な信号を得ることができる。
【００４９】
表９〜１１には、実施例の上記３つのスポット特性を比較例とともに示す。表９は、波長λ１＝４０７ｎｍの場合、表１０は、波長λ２＝６５８ｎｍの場合、表１１は、波長λ３＝７８５ｎｍの場合を示す。１／ｅ２スポット径については、ｘｙ平面に形成された光スポットのｘ方向のスポット径Ｄｘ及びｙ方向のスポット径Ｄｙを示す。また、サイドローブ特性については、ｘｙ平面に形成された光スポットのｘ方向のサイドローブＳＬｘ、ｙ方向のサイドローブＳＬｙ及び最大値ＳＬｍａｘを示す。
【表９】
2008130190.tif 000012
【表１０】
2008130190.tif 000013
【表１１】
2008130190.tif 000014
【００５０】
表９に示すように、波長λ１＝４０７ｎｍの場合、実施例の１／ｅ２スポット径はＤｘ及びＤｙいずれも０．５１３μｍであるのに対し、比較例の１／ｅ２スポット径もＤｘ及びＤｙいずれも０．５１３μｍであり、全く同一の値である。また、比較例のサイドローブの最大値ＳＬｍａｘが１．８％であるのに対し、実施例のＳＬｍａｘは１．７％であり、０．１％向上している。さらに、比較例の０次光量が８３．８％であるのに対し、実施例の０次光量は８３．９％であり、若干向上している。すなわち、波長λ１＝４０７ｎｍにおける実施例の光スポット特性は、比較例と同等である。
【００５１】
表１０に示すように、波長λ２＝６５８ｎｍの場合、実施例の１／ｅ２スポット径はＤｘ及びＤｙいずれも０．８３０μｍであるのに対し、比較例の１／ｅ２スポット径もＤｘ及びＤｙいずれも０．８３０μｍであり、全く同一の値である。また、比較例のサイドローブの最大値ＳＬｍａｘが１．８％であるのに対し、実施例のＳＬｍａｘは１．７％であり、０．１％向上している。さらに、比較例の０次光量が８３．８％であるのに対し、実施例の０次光量は８３．７％であり、同等である。すなわち、波長λ２＝６５８ｎｍにおける実施例の光スポット特性は、比較例と同等である。
【００５２】
表１１に示すように、波長λ３＝７８５ｎｍの場合、実施例の１／ｅ２スポット径はＤｘ及びＤｙいずれも１．２８７μｍであるのに対し、比較例の１／ｅ２スポット径はＤｘ及びＤｙいずれも１．２８９μｍであり、同等である。また、比較例のサイドローブの最大値ＳＬｍａｘが１．８％であるのに対し、実施例のＳＬｍａｘも１．８％であり、全く同一の値である。さらに、比較例の０次光量が８３．８％であるのに対し、実施例の０次光量は８３．５％であり、同等である。すなわち、波長λ３＝７８５ｎｍにおける実施例の光スポット特性は、比較例と同等である。
【００５３】
上述の通り、本発明に係るカップリングレンズを用いることにより、比較例に対し、上記３波長において良好な波面収差特性及び光スポット特性を保持しつつ、波長λ１＝４０７ｎｍにおける色収差を劇的に向上させることができる。これにより、２波長以上で利用可能であり、光利用効率が高い色収差補正用カップリングレンズを提供することができる。
【図面の簡単な説明】
【００５４】
【図１】本発明に係るカップリングレンズを示す模式図である。
【図２】本発明に係る光ピックアップ装置の光学系図を示す模式図である。
【図３】本発明に係るカップリングレンズを通過した波長４０７ｎｍの光束の波面収差図である。
【図４】本発明に係るカップリングレンズを通過した波長６５８ｎｍの光束の波面収差図である。
【図５】本発明に係るカップリングレンズを通過した波長７８５ｎｍの光束の波面収差図である。
【図６】実施例に係るカップリングレンズ及び対物レンズシフトを通過した波長４０７ｎｍの光束の波面収差図である。
【図７】実施例に係るカップリングレンズ及び対物レンズシフトを通過した波長６５８ｎｍの光束の波面収差図である。
【図８】実施例に係るカップリングレンズ及び対物レンズシフトを通過した波長７８５ｎｍの光束の波面収差図である。
【図９】比較例のカップリングレンズを通過した波長６５８ｎｍの光束の波面収差図である。
【図１０】ビームプロファイルを模式的に示す図である。
【符号の説明】
【００５５】
１０  光源
２０  ハーフミラー
３０  色収差補正用カップリングレンズ
４０  絞り
５０  対物レンズ
６０  光ディスク
【図１】
2008130190.tif 000015
【図２】
2008130190.tif 000016
【図３】
2008130190.tif 000017
【図４】
2008130190.tif 000018
【図５】
2008130190.tif 000019
【図６】
2008130190.tif 000020
【図７】
2008130190.tif 000021
【図８】
2008130190.tif 000022
【図９】
2008130190.tif 000023
【図１０】
2008130190.tif 000024